【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
ツールホルダ（２２）であって、
ホルダシャンク（３０）から離れる方に延出するホルダヘッド（２８）を有する本体（２６）であって、前記ホルダヘッド（２８）がその前方端部（３４）に、ポケット支持面（３６）を有するインサート受け入れポケット（３２）を有する、本体（２６）と、
前記ホルダヘッド（２８）内に保持されたクランプ部材（４４）であって、前記クランプ部材（４４）がシャフト軸線（Ａ１）に沿って長手方向に延在するクランプシャフト（４６）を含む、クランプ部材（４４）と、
前記クランプシャフト（４６）の当接面（５４）と動作的に係合するロック部材（５２）と、
を含み、
前記ツールホルダ（２２）が、前記ポケット支持面（３６）に向かってクランプ力（ｆ）を誘導し、且つ前記ポケット支持面（３６）に対して切削インサート（２４）をクランプするように構成され、
前記シャフト軸線（Ａ１）が前記ポケット支持面（３６）に交差せず、
前記クランプシャフト（４６）が前記シャフト軸線（Ａ１）に垂直に切った断面で非円形形状を有し、
前記クランプシャフト（４６）が前記ホルダヘッド（２８）のクランプ穴（４８）内に摺動可能に保持され、
前記クランプ穴（４８）が前記シャフト軸線（Ａ１）と同軸のクランプ軸線（Ａ２）に沿って延在し、
前記クランプ穴（４８）が前記クランプ軸線（Ａ２）に垂直に切った断面で前記クランプシャフト（４６）の形状に一致する非円形形状を有する、
ツールホルダ（２２）。
【請求項２】
前記クランプシャフト（４６）の長さ全体における、前記クランプシャフト（４６）の、前記シャフト軸線（Ａ１）に垂直に切った断面が非円形形状を有する、請求項１に記載のツールホルダ（２２）。
【請求項３】
前記クランプシャフト（４６）の対向するシャフト端部（５０ａ，５０ｂ）における、前記シャフト軸線（Ａ１）に垂直に切った２つの断面が同一の外形を有する、請求項１又は２に記載のツールホルダ（２２）。
【請求項４】
前記クランプシャフト（４６）がシャフト軸線Ａ１に垂直に切った断面で長円形形状である、請求項１〜３のいずれか一項に記載のツールホルダ（２２）。
【請求項５】
前記クランプシャフト（４６）が前記シャフト軸線（Ａ１）を中心に１８０°回転対称を示す、請求項１〜４のいずれか一項に記載のツールホルダ（２２）。
【請求項６】
前記シャフト軸線（Ａ１）に沿って軸方向に切った前記クランプ部材（４４）の各端面図において前記当接面（５４）が不可視である、請求項１〜５のいずれか一項に記載のツールホルダ（２２）。
【請求項７】
前記当接面（５４）が前記クランプシャフト（４６）の外周縁面（５６）と交差する、請求項１〜６のいずれか一項に記載のツールホルダ（２２）。
【請求項８】
前記当接面（５４）が、全体的に、前記シャフト軸線（Ａ１）を含むシャフト面（Ｐ１）の片側に位置する、請求項１〜７のいずれか一項に記載のツールホルダ（２２）。
【請求項９】
前記クランプシャフト（４６）が前記シャフト面（Ｐ１）に関して鏡面対称を示す、請求項８に記載のツールホルダ（２２）。
【請求項１０】
前記ロック部材（５２）が前記ホルダヘッド（２８）のロック穴（５８）を占め、
前記ロック部材（５２）が全体的に前記シャフト面（Ｐ１）の片側に位置する、請求項８又は９に記載のツールホルダ（２２）。
【請求項１１】
前記ロック穴（５８）が前記シャフト面（Ｐ１）に垂直なロック軸線（Ａ３）を有し、
前記ロック穴（５８）が前記ホルダヘッド（２８）の２つの対向外部側面（６０ａ，６０ｂ）の少なくとも１つと交差する、請求項１０に記載のツールホルダ（２２）。
【請求項１２】
前記当接面（５４）が凹部軸線（Ａ４）に沿って延在する載頭円錐形のシャフト凹部（６２）の一部を形成し、
前記凹部軸線（Ａ４）が前記シャフト面（Ｐ１）に垂直である、
請求項８〜１１のいずれか一項に記載のツールホルダ（２２）。
【請求項１３】
前記クランプ部材（４４）が前記クランプシャフト（４６）の１つのシャフト端部（５０ｂ）にクランプヘッド（６４）を含み、
前記シャフト凹部（６２）が、前記凹部軸線（Ａ４）を含み且つ前記シャフト軸線（Ａ１）に垂直な凹部面（Ｐ２）を有し、
前記クランプヘッド（６４）及び前記当接面（５４）が前記凹部面（Ｐ２）の両側に位置する、
請求項１２に記載のツールホルダ（２２）。
【請求項１４】
前記クランプシャフト（４６）が、前記シャフト軸線（Ａ１）及び前記凹部軸線（Ａ４）に垂直な方向に最大シャフト幅（ＷＳＭＡＸ）を有する、請求項１２又は１３に記載のツールホルダ（２２）。
【請求項１５】
前記クランプシャフト（４６）が前記凹部軸線（Ａ４）に沿う方向に最小シャフト幅（ＷＳＭＩＮ）を有し、前記シャフト凹部（６２）が前記凹部軸線（Ａ４）に沿う方向に凹部深さ（Ｄ１）を有し、
前記凹部深さ（Ｄ１）が前記最小シャフト幅（ＷＳＭＩＮ）の３分の１を超える、
請求項１２〜１４のいずれか一項に記載のツールホルダ（２２）。
【請求項１６】
前記インサート受け入れポケット（３２）が前記ポケット支持面（３６）に対向するポケットクランプ面（６８）を含み、
前記ポケットクランプ面（６８）及び前記ポケット支持面（３６）がクランプ距離（Ｄ２）だけ間隔を空けて配置されている、請求項１〜１５のいずれか一項に記載のツールホルダ（２２）。
【請求項１７】
前記ポケットクランプ面（６８）が前記ホルダヘッド（２８）の長尺状のクランプ部（７８）に形成され、
冷却剤ダクト（８０）が前記クランプ部（７８）内に延在し、前記ポケットクランプ面（６８）に隣接する冷却剤排出口（８２）へと開口する、
請求項１６に記載のツールホルダ（２２）。
【請求項１８】
前記ロック部材（５２）が中心軸線（Ａ５）を有し、
前記クランプ距離（Ｄ２）が、前記ロック部材（５２）の、その中心軸線（Ａ５）を中心とした１つの方向における回転によって減少し、前記ロック部材（５２）の、その中心軸線（Ａ５）を中心とした反対方向における回転によって増加する、
請求項１６又は１７に記載のツールホルダ（２２）。
【請求項１９】
ホルダシャンク（３０）から離れる方に前方方向（Ｆ）に延出するホルダヘッド（２８）を有する本体（２６）であって、前記ホルダヘッド（２８）がその前方端部（３４）にインサート受け入れポケット（３２）を有し、前記インサート受け入れポケット（３２）がポケット支持面（３６）及び対向するポケットクランプ面（６８）を有する本体（２６）と、
前記本体（２６）内に形成され、クランプ軸線（Ａ２）に沿って延在するクランプ穴（４８）であって、前記クランプ軸線（Ａ２）が前記ポケット支持面（３６）に交差せず、前記クランプ穴（４８）が前記クランプ軸線（Ａ２）に垂直に切った断面で非円形形状を有する、クランプ穴（４８）と、
前記本体（２６）内に形成され、前記クランプ穴（４８）に交差するロック穴（５８）と、
前記クランプ穴（４８）に受け入れられるように構成されたクランプ部材（４４）であって、前記クランプ部材（４４）が当接面（５４）を有するクランプシャフト（４６）を有するクランプ部材（４４）と、
前記ロック穴（５８）に受け入れられるように構成され、前記クランプ部材（４４）が前記クランプ穴（４８）に受け入れられると、前記クランプシャフトの当接面（５４）に動作的に係合し、それによって前記ポケットクランプ面（６８）を前記ポケット支持面（３６）に向かって付勢するクランプ力（ｆ）を印加するロック部材（５２）と、
を含み、
前記クランプ部材（４４）が前記クランプ穴（４８）に受け入れられると、前記クランプシャフト（４６）が前記クランプ軸線（Ａ２）と同軸のシャフト軸線（Ａ１）に沿って長手方向に延在し、
前記クランプシャフト（４６）が前記シャフト軸線（Ａ１）に垂直に切った断面で前記クランプ穴（４８）の形状に一致する非円形形状を有する、
ツールホルダ（２２）アセンブリ。
【請求項２０】
前記ロック穴（５８）が前記クランプ軸線（Ａ２）に垂直なロック軸線（Ａ３）を有し、
前記ロック穴（５８）が前記ホルダヘッド（２８）の２つの対向外部側面（６０ａ，６０ｂ）の少なくとも１つと交差する、請求項１９に記載のツールホルダ（２２）アセンブリ。
【請求項２１】
前記クランプ穴（４８）が前記ロック軸線（Ａ３）に沿う方向に最小穴幅（ＷＢＭＩＮ）を有する、請求項２０に記載のツールホルダ（２２）アセンブリ。
【請求項２２】
前記クランプ穴（４８）がクランプ軸線Ａ２に垂直に切った断面で長円形形状である、請求項１９〜２１のいずれか一項に記載のツールホルダ（２２）アセンブリ。
【請求項２３】
請求項１９〜２２のいずれか一項に記載のツールホルダ（２２）アセンブリと、
前記ポケット支持面（３６）と前記ポケットクランプ面（６８）との間の前記インサート受け入れポケット（３２）内にクランプ式に保持される切削インサート（２４）と、
を含む、切削ツール（２０）。
【請求項２４】
請求項１９〜２２のいずれか一項に記載のツールホルダ（２２）アセンブリと、切削インサート（２４）であって、前記切削インサート（２４）が、対向する第１のインサート表面及び第２のインサート表面（３８，４０）を有し、作動切刃（４２）が前記第１のインサート表面（３８）に対応付けられている、切削インサート（２４）と、を含む切削ツール（２０）を組み立てる方法であって、
前記第２のインサート表面（４０）の一部がポケット支持面（３６）に接触した状態でホルダヘッド（２８）の前方端部（３４）の近傍に前記切削インサート（２４）を配置するステップと、
前記切削インサート（２４）をインサート受け入れポケット（３２）内へと略後方方向（Ｒ）に摺動させるステップと、
前記第２のインサート表面（４０）と前記ポケット支持面（３６）との間にクランプ力（ｆ）が印加されるまでロック部材（５２）を作動するステップと、
を含む、方法。
【請求項２５】
ホルダシャンク（３０）から離れる方に延出するホルダヘッド（２８）を有する本体（２６）であって、前記ホルダヘッド（２８）がその前方端部（３４）に、ポケット支持面（３６）を有するインサート受け入れポケット（３２）を有する本体（２６）と、
前記本体（２６）内に形成され、クランプ軸線（Ａ２）に沿って延在し、前記クランプ軸線（Ａ２）が前記ポケット支持面（３６）に交差しないクランプ穴（４８）と、
前記本体（２６）内に形成され、前記クランプ穴（４８）に交差するロック穴（５８）と、
前記クランプ穴（４８）に受け入れられるように構成されたクランプ部材（４４）であって、前記クランプ部材（４４）がシャフト軸線（Ａ１）に沿って長手方向に延在するクランプシャフト（４６）を有する、クランプ部材（４４）と、
前記ロック穴（５８）に受け入れられるように構成され、前記クランプ部材（４４）が前記クランプ穴（４８）に受け入れられると、前記クランプシャフト（４６）の当接面（５４）と動作的に係合するロック部材（５２）と、
を含み、
前記クランプ部材（４４）が前記クランプ穴（４８）に受け入れられると、前記ロック部材（５２）が前記クランプシャフト（４６）の前記当接面（５４）に係合していない場合であっても前記クランプシャフト（４６）が前記シャフト軸線（Ａ１）を中心として回転不能になる、
ツールホルダ（２２）アセンブリ。